(57)【要約】【課題】携帯電話の持込みを有効に阻止する。【解決手段】複数のボックス２０、２０…を組み込むキャビネット１０と、カードを認証する認証端末１２と、認証されたカードごとにあらかじめ指定されたボックス２０の電気錠を解錠するコントローラ１１とを設ける。【選択図】図１
2006291488.tif 000002
【特許請求の範囲】
【請求項１】
携帯電話を収納するための複数のボックスを組み込むキャビネットと、カードを認証する認証端末と、認証されたカードごとにあらかじめ指定された前記ボックスの電気錠を解錠するコントローラとを備えてなり、前記認証端末は、認証済のカードの排出機能を有することを特徴とする携帯電話用のキャビネット装置。
【請求項２】
前記認証端末は、使用済のカードの回収機能を有することを特徴とする請求項１記載の携帯電話用のキャビネット装置。
【請求項３】
前記認証端末は、前記キャビネットに組み込むことを特徴とする請求項１または請求項２記載の携帯電話用のキャビネット装置。
【発明の詳細な説明】
【技術分野】
【０００１】
この発明は、たとえば秘密の漏洩を嫌う部屋や建物などにおいて、カメラ付きの携帯電話の持込みを禁止する場合に有益な携帯電話用のキャビネット装置に関する。
【背景技術】
【０００２】
カメラ付きの携帯電話が広く普及している。
【０００３】
カメラ付きの携帯電話は、携帯電話に高性能の小形カメラが組み込まれており、写真を撮影するだけでなく、撮影した写真情報をそのまま送信することも可能である。
【０００４】
一方、秘密の漏洩を嫌う研究所、事業所、工場などの建物や部屋において、入室者を制限するために、入口のゲートを電気錠付きとして、正しく認証された者に限って入室を許可するシステムを採用することがある。また、携帯電話を収納するための専用のキャビネットが知られている（特許文献１）。
【特許文献１】特開２００２−２９００８３号公報
【発明の開示】
【発明が解決しようとする課題】
【０００５】
かかる従来技術によるときは、入口のゲートにおいて入室を許可された者がカメラ付きの携帯電話を持ち込むことがあり、それを悪用することによって秘密が漏洩するおそれがある。なお、携帯電話には、電話番号やメールアドレスなどの個人情報が記憶されているから、入室者の携帯電話を一時的に守衛などに預けることは、入室者の心理的な反発を招き易く、人件費の点でも実用的ではない。また、単なる携帯電話用のキャビネットを入口のゲート付近に設置しても、他人が簡単に自分の携帯電話にアクセスし得るため、同様の心理的な抵抗がある。
【０００６】
そこで、この発明の目的は、かかる従来技術の問題に鑑み、認証操作によって解錠される電気錠付きのボックスをキャビネットに組み込むことによって、心理的な反発を招くことなく、携帯電話の持込みを有効に阻止することができる携帯電話用のキャビネット装置を提供することにある。
【課題を解決するための手段】
【０００７】
かかる目的を達成するためのこの発明の構成は、携帯電話を収納するための複数のボックスを組み込むキャビネットと、カードを認証する認証端末と、認証されたカードごとにあらかじめ指定されたボックスの電気錠を解錠するコントローラとを備えてなり、認証端末は、認証済のカードの排出機能を有することをその要旨とする。
【０００８】
なお、認証端末は、使用済のカードの回収機能を有することができ、キャビネットに組み込むことができる。
【発明の効果】
【０００９】
かかる発明の構成によるときは、キャビネットの各ボックスは、認証端末を介して認証されるカードごとにあらかじめ指定されており、コントローラは、認証されたカードに対応するボックスの電気錠を解錠する。そこで、カードを保有する利用者は、カードの認証によって解錠されたボックスの扉を開き、自分の携帯電話を収納して扉を閉じることにより、心理的な抵抗を覚えることなく携帯電話を収納して入室することができる。ボックス内の携帯電話は、他人によるアクセスができないことが保証されているからである。また、認証端末は、携帯電話が所定のボックスに正しく収納された後、認証済のカードの排出機能を利用してカードを利用者に返却し、利用者に携帯させる。そこで、利用者は、退室後、保有するカードにより再び認証操作をして所定のボックスを解錠し、自分の携帯電話を取り出すことができる。
【００１０】
なお、入室用のゲートは、携帯電話の収納動作の完了により自動的に解錠してもよく、利用者に返却された認証済のカードを使用して解錠してもよい。ただし、後者の場合、認証端末は、携帯電話の収納が未完の利用者の入室を拒否するために、携帯電話の収納完了の情報を認証履歴としてカードに記録して排出することが好ましい。
【００１１】
認証端末に使用するカードは、磁気カードの他、接触形または非接触形のＩＣカードであってもよく、あるいは、磁気カード、ＩＣカードの双方の機能を１枚のカードに搭載するものであってもよい。これらのカードは、ボックス内の携帯電話が取り出されて使用済となると、認証端末の回収機能を利用して自動的に回収され、別の利用者に再交付して再使用することができる。
【００１２】
認証端末は、キャビネットの表面部分に一体に組み込んでもよく、キャビネットと別体の床置き式、壁掛け式、壁埋込み式などとしてもよい。
【発明を実施するための最良の形態】
【００１３】
以下、図面を以って発明の実施の形態を説明する。
【００１４】
携帯電話用のキャビネット装置は、ボックス２０、２０…を組み込むキャビネット１０と、キャビネット１０に組み込むコントローラ１１、認証端末１２とを備えてなる（図１、図２）。ただし、認証端末１２は、コントローラ１１に対して双方向に接続されている。また、図１（Ａ）は、全体構成系統図、同図（Ｂ）は、入室用のゲートＧを含む設置平面図である。
【００１５】
キャビネット１０には、複数のボックス２０、２０…が縦横に整然と組み込まれている。なお、キャビネット１０の下部には、図示しない施錠可能な扉を介してコントローラ１１が組み込まれており、キャビネット１０の表面には、認証端末１２が組み込まれている。
【００１６】
各ボックス２０には、携帯電話Ｔを収納することができる（図３）。ただし、図３（Ａ）〜（Ｃ）は、それぞれボックス２０の構成平面図、縦断面図、電装品系統図である。
【００１７】
ボックス２０は、前面開放の箱体であり、透明な窓付きの扉２１が前面に付設され、内部正面には、携帯電話Ｔを斜めに支持する支持枠２２が組み込まれている。支持枠２２上には、左右のガイド板２２ａ、２２ａが立設され、裏面側には、支持枠２２上の携帯電話Ｔを検知するマイクロスイッチ２３が付設されている。ただし、マイクロスイッチ２３は、支持枠２２の中央部の角孔２２ｂに出没する揺動片２３ａを介して支持枠２２上の携帯電話Ｔの有無を検知することができる。
【００１８】
ボックス２０には、電気錠２４が組み込まれている。電気錠２４は、扉２１のフック２１ａに係合する掛け金２４ａを有し、掛け金２４ａは、扉２１を閉じることによりフック２１ａに自動的に係合して扉２１を施錠し、図示しないソレノイドを介し、フック２１ａとの係合を外して解錠することができる。なお、電気錠２４には、扉２１が閉じられて施錠されたことを検出する図示しないリミットスイッチ２５が組み込まれている。電気錠２４は、ボックス２０内において、仕切扉２４ｂ、取付ベース２４ｃ、２４ｃを介して扉２１の反ヒンジ側に組み込まれている。ボックス２０の前部上方には、赤青のランプ２６、２７が配設されている。マイクロスイッチ２３、電気錠２４、リミットスイッチ２５、ランプ２６、２７は、たとえば多心のケーブル２８を介し、ボックス２０ごとにコントローラ１１に接続されている（図１（Ａ））。
【００１９】
認証端末１２は、投入口１２ａを介して投入されるカードＣＤ用のリーダ１２ｂと、リーダ１２ｂを通過したカードＣＤの進路を下方の回収ボックス１２ｄ、前面の排出口１２ｅのいずれかに切り換えるフラッパ１２ｃとを内蔵している（図４）。回収ボックス１２ｄには、使用済のカードＣＤが回収され、排出口１２ｅには、認証端末１２によって認証された認証済のカードＣＤが排出される。認証端末１２の前面には、排出口１２ｅを介して排出されるカードＣＤを受ける受皿１２ｆが装着され、回収ボックス１２ｄ内のカードＣＤを回収するための施錠可能な扉１２ｇが設けられている。フラッパ１２ｃは、リーダ１２ｂからのカードＣＤを排出口１２ｅに強制的に排出させる排出位置（図４の実線）と、カードＣＤをそのまま下方の回収ボックス１２ｄに落下させる回収位置（同図の二点鎖線）とに電気的に切換制御することができる。なお、リーダ１２ｂは、カードＣＤに対する書込み機能を併せ有するリーダライタであるものとする。
【００２０】
キャビネット１０は、入室用のゲートＧの近傍の室外側に設置されている（図１（Ｂ））。入室用のゲートＧには、図示しない電気錠が装備されており、ゲートＧは、ゲートＧの近傍の室外側に設置する入室用の端末装置Ｇc を介し、認証端末１２によって認証済のカードＣＤを使用して解錠することができる。なお、ゲートＧは、室内側から室外側に退室するときは、室内側から自由に開けることができ、退室の完了とともに自動的に閉じて施錠される。
【００２１】
利用者は、ゲートＧから入室するとき、あらかじめ交付されたカードＣＤを認証端末１２に投入して認証操作することにより、所定のボックス２０に携帯電話Ｔを収納して入室することができ、ゲートＧから退出すると、同様に認証操作することにより、携帯電話Ｔをボックス２０から取り出すことができる。そこで、入室のために認証端末１２にカードＣＤが投入されると、コントローラ１１、認証端末１２は、全体としてたとえば図５のプログラムフローチャートに従って作動する。
【００２２】
プログラムは、まず、認証端末１２のリーダ１２ｂにより、投入されたカードＣＤの認証結果の正否をチェックする（図５のプログラムステップ（１）、以下、単に（１）のように記す）。すなわち、プログラムは、認証端末１２に投入されたカードＣＤが正規のカードでないと、認証端末１２のフラッパ１２ｃを排出位置に位置させることにより、リーダ１２ｂからのカードＣＤを排出口１２ｅから排出して利用者に返却し（２）、終了する。
【００２３】
一方、プログラムは、投入されたカードＣＤが正規のカードであることを確認すると（１）、そのカードＣＤに指定されたボックス２０の電気錠２４を解錠した上（３）、そのボックス２０内の赤のランプ２６を点滅させ（４）、カードＣＤを投入した利用者の携帯電話Ｔがボックス２０に収納されるのを待って待機する（５）。すなわち、利用者は、赤のランプ２６が点滅することにより、自分が利用すべきボックス２０の電気錠２４が解錠されたことがわかるから、ボックス２０の扉２１を開け、携帯電話Ｔを収納し、扉２１を閉じて自動施錠すればよい。なお、このようにして携帯電話Ｔが収納され、扉２１が閉じられると、マイクロスイッチ２３が作動し、リミットスイッチ２５が作動する。
【００２４】
プログラムは、携帯電話Ｔがボックス２０に収納されると（５）、ボックス２０の赤のランプ２６を点灯させて扉２１を閉じるように指示し（６）、扉２１が閉じられると（７）、赤のランプ２６を消灯して青のランプ２７を点灯することにより（８）、携帯電話Ｔの収納完了を利用者に報知する。つづいて、プログラムは、リーダ１２ｂを介し、日付、時刻などの必要な情報を認証履歴としてカードＣＤに記録した上（９）、フラッパ１２ｃを排出位置にして、カードＣＤを排出口１２ｅから排出させる（１０）。
【００２５】
そこで、利用者は、排出された認証済のカードＣＤを使用して、入室用の端末装置Ｇc によりゲートＧを解錠し、ゲートＧを開いて入室することができる。一方、プログラムは、規定の一定時間の経過を待って（１１）、ボックス２０の青のランプ２７を消灯して（１２）、終了する。ただし、ゲートＧは、電気錠が解錠されることにより室外側から自由に開けることができ、利用者が入室すると、自動的に閉じ、自動的に施錠される。なお、利用者は、ゲートＧから入室した後も、カードＣＤを退室するまで携帯するものとする。
【００２６】
ゲートＧから退室した利用者は、携帯中のカードＣＤを認証端末１２に投入して認証操作を実行し、ボックス２０内の携帯電話Ｔを取り出すことができ、このときのコントローラ１１、認証端末１２は、たとえば図６のプログラムフローチャートに従って作動する。
【００２７】
プログラムは、投入されたカードＣＤの認証結果が正常であることを確認すると（図６のプログラムステップ（１）、以下、単に（１）のように記す）、カードＣＤに指定されているボックス２０の電気錠２４を解錠し（３）、ボックス２０の赤のランプ２６を点灯する（４）。そこで、利用者は、そのボックス２０の扉２１を開き、自分の携帯電話Ｔを取り出すことができる。なお、投入されたカードＣＤの認証結果が不正であると（１）、カードＣＤは、排出口１２ｅから排出され、利用者に返却される（２）。
【００２８】
携帯電話Ｔが正規に取り出されると（５）、赤のランプ２６が点滅して扉２１を閉じることを促し（６）、扉２１が閉じられると（７）、赤のランプ２６が消灯する（８）。そこで、プログラムは、カードＣＤに必要な情報を認証履歴として記録した上（９）、フラッパ１２ｃを回収位置にしてカードＣＤを下の回収ボックス１２ｄに回収し（１０）、終了する。回収されたカードＣＤは、記録されている認証履歴を保存用データとして読み取った上、認証履歴を消去して他の利用者に交付し、再使用することができる。
【００２９】
以上の説明において、認証端末１２は、フラッパ１２ｃと、受皿１２ｆ付きの排出口１２ｅとを設けるに代えて、正逆回転可能なカードＣＤ用の送りローラをリーダ１２ｂに組み合わせ、認証結果が不正なカードＣＤや認証済のカードＣＤを投入口１２ａに戻して排出するように構成してもよい。
【００３０】
また、入室用のゲートＧの端末装置Ｇc は、認証端末１２により認証済のカードＣＤを使用することなく、別のカードを使用してもよく、暗証番号やパスワードなどを入力するテンキー方式であってもよく、さらに、指紋や掌紋、声紋、虹彩、顔形などを読み取るバイオメトリックス認証方式を採用してもよい。なお、図６において、たとえばプログラムステップ（１０）の実行後、コントローラ１１からゲートＧ用の端末装置Ｇc に対して所定の一定時間だけゲートＧの解錠用の信号を送出し、ゲートＧを自動解錠することにより、カードＣＤを認証して携帯電話Ｔをボックス２０に収納した利用者に対し、追加の認証操作を求めることなく入室を許容してもよい。
【００３１】
さらに、図５、図６の各プログラムステップ（９）において、認証履歴は、カードＣＤに記録することなく、別置きのコンピュータに直接送信して保存してもよい。回収されるカードＣＤに新しい情報が書き込まれないから、そのまま別の利用者に交付して再使用することができる。
【００３２】
一般に、カードＣＤは、ボックス２０、２０…に個別に対応しているから、ボックス２０、２０…の個数と同枚数が必要である。ただし、現に未使用のボックス２０を指定する情報をカードＣＤに新たに書き込んで利用者に交付するようにすれば、ボックス２０、２０…の個数より少ない枚数であっても、実質的な支障がない。
【他の実施の形態】
【００３３】
各ボックス２０内の支持枠２２には、マイクロスイッチ２３を作動させるために、揺動片２３ａに代えて、携帯電話Ｔの全体を支持し得る揺動板２３ｂを組み合わせることができる（図７）。ただし、図７（Ａ）〜（Ｃ）は、それぞれ要部分解斜視図、携帯電話Ｔを置かないとき、置いたときの縦断面動作図である。
【００３４】
揺動板２３ｂは、後端に装着するヒンジピン２３ｃ、２３ｃを介して支持枠２２上に揺動自在に組み付けられている。そこで、揺動板２３ｂは、携帯電話Ｔを置かないときは、マイクロスイッチ２３のアクチュエータを介して上方に揺動しており（図７（Ｂ））、携帯電話Ｔを置くと、その重量によって下方に揺動し（同図（Ｃ））、マイクロスイッチ２３を作動させることができる。携帯電話Ｔの外形が直方体以外のたとえば流線形などであっても、マイクロスイッチ２３を確実に作動させ、携帯電話Ｔの収納動作を確実に検出することができる。なお、支持枠２２は、たとえば図８に示すように、プラスチック材料により、左右のガイド板２２ａ、２２ａを含む全体を滑らかな形状に一体成形してもよい。
【図面の簡単な説明】
【００３５】
【図１】全体構成説明図
【図２】キャビネットの正面図
【図３】ボックスの構成説明図
【図４】認証端末の模式縦断面説明図
【図５】プログラムフローチャート（１）
【図６】プログラムフローチャート（２）
【図７】他の実施の形態を示す要部構成説明図
【図８】他の実施の形態を示す要部斜視図
【符号の説明】
【００３６】
Ｔ…携帯電話
ＣＤ…カード
１０…キャビネット
１１…コントローラ
１２…認証端末
２０…ボックス
２４…電気錠
特許出願人          株式会社  富士精工本社
代理人  弁理士              松  田  忠  秋
【図１】
2006291488.tif 000003
【図２】
2006291488.tif 000004
【図３】
2006291488.tif 000005
【図４】
2006291488.tif 000006
【図５】
2006291488.tif 000007
【図６】
2006291488.tif 000008
【図７】
2006291488.tif 000009
【図８】
2006291488.tif 000010